(57)【要約】【課題】デジタル無線伝送の伝送状態に関する情報を表示する伝送状態表示装置において、効果的に、伝送状態の評価結果の情報を表示する。【解決手段】デジタル無線伝送の伝送状態に関する情報を表示する伝送状態表示装置１００において、評価値取得手段（例えば、解析部１０２）が、前記デジタル無線伝送で伝送される信号について所定の期間内における所定の評価値の情報を取得する。表示手段（例えば、解析部１０２や表示部１０３）が、前記評価値取得手段により取得された情報に基づいて、前記所定の評価値について前記所定の期間内における変動の範囲を表示する。【選択図】  図１
2010016638.tif 000002
【特許請求の範囲】
【請求項１】
デジタル無線伝送の伝送状態に関する情報を表示する伝送状態表示装置において、
前記デジタル無線伝送で伝送される信号について所定の期間内における所定の評価値の情報を取得する評価値取得手段と、
前記評価値取得手段により取得された情報に基づいて、前記所定の評価値について前記所定の期間内における変動の範囲を表示する表示手段と、
を備えたことを特徴とする伝送状態表示装置。
【請求項２】
請求項１に記載の伝送状態表示装置において、
予め設定された数式を用いて前記所定の評価値について前記所定の期間内における変動の範囲に基づく安定度を数値として算出する安定度算出手段を備え、
前記表示手段は、前記安定度算出手段により算出された安定度の数値を表示する、
ことを特徴とする伝送状態表示装置。
【発明の詳細な説明】
【技術分野】
【０００１】
本発明は、例えば、デジタル無線伝送における伝送状態の評価に関し、特に、効果的に、伝送状態の評価結果の情報を表示する伝送状態表示装置に関する。
【背景技術】
【０００２】
デジタル無線伝送の伝送状態を評価する指標として、例えば、受信電界レベル、Ｃ／Ｎ（Ｃａｒｒｉｅｒ  ｔｏ  Ｎｏｉｓｅ）マージン、ＢＥＲ（Ｂｉｔ  Ｅｒｒｏｒ  Ｒａｔｅ）、ＭＥＲ（Ｍｏｄｕｌａｔｉｏｎ  Ｅｒｒｏｒ  Ｒａｔｉｏ）、遅延プロファイル、コンスタレーションなどが挙げられる。
【０００３】
【特許文献１】特開２００３−１０１４９１号公報
【特許文献２】特開２００６−１５７３３７号公報
【特許文献３】特許第３９５９４４６号公報
【発明の開示】
【発明が解決しようとする課題】
【０００４】
しかしながら、従来のデジタル無線伝送では、評価指標は、ある時点（瞬間）での状態値を示しており、時間的変化に対する評価がされていなかった。
本発明は、このような従来の事情に鑑み為されたもので、デジタル無線伝送における伝送状態の評価結果の情報を効果的に表示することができる伝送状態表示装置を提供することを目的とする。
【０００５】
例えば、デジタル無線伝送においては、あるレベルを境にして伝送の状態又は破綻の状態となるため、破綻するレベルに対してどれだけの余裕があるかを把握することは勿論重要であるが、その伝送回線がどの程度安定したものであるかを知ることによって、現在の余裕度が前記伝送回線の状態において十分なレベルであるかをより正確に把握することができる。
【課題を解決するための手段】
【０００６】
上記目的を達成するため、本発明では、デジタル無線伝送の伝送状態に関する情報を表示する伝送状態表示装置において、次のような構成とした。
すなわち、評価値取得手段が、前記デジタル無線伝送で伝送される信号について、所定の期間内における所定の評価値の情報を取得する。表示手段が、前記評価値取得手段により取得された情報に基づいて、前記所定の評価値について、前記所定の期間内における変動の範囲（例えば、変動度）を表示する。
【０００７】
従って、デジタル無線伝送で伝送される信号について、所定の期間内における所定の評価値の変動の範囲を表示することにより、デジタル無線伝送における伝送状態の評価結果の情報を効果的に表示することができ、例えば、その伝送回線がどの程度安定したものであるかを知ることができ、現在の余裕度が前記伝送回線の状態において十分なレベルであるかをより正確に把握することが可能となる。
【０００８】
ここで、デジタル無線伝送としては、種々なものに適用されてもよく、例えば、デジタル放送における無線伝送に適用することができる。
また、所定の評価値としては、種々なものが用いられてもよく、例えば、コンスタレーションにおける平均距離や最大距離（例えば、実施例で用いられる図２参照。）、遅延プロファイルにおける主波や反射波に関する相関レベルや遅延量（例えば、実施例で用いられる図３参照。）、マージン（例えば、実施例で用いられる図４参照。）、受信電界、ＢＥＲ、ＭＥＲなどに関する評価値を用いることができる。
【０００９】
また、表示対象となる伝送状態に関する情報としては、例えば、所定の期間内における所定の評価値の変動の範囲以外にも、種々な情報が用いられてもよい。
また、変動の範囲を表示する仕方としては、種々なものが用いられてもよく、例えば、変動の範囲を枠（例えば、四角形や任意の形）或いは線（例えば、縦線や横線や曲線）などで表示する仕方や、変動の範囲（例えば、それを表す枠の中や、それを表す幅を有する線）を背景とは異なる色や模様などで表示する仕方や、変動の範囲を表す文字（例えば、それぞれに該当する位置に配置されるｍｉｎ（最小）やｍａｘ（最大）など）を表示する仕方などを用いることができる。
【００１０】
本発明に係る伝送状態表示装置では、一構成例として、次のような構成とした。
すなわち、安定度算出手段が、予め設定された数式を用いて、前記所定の評価値について、前記所定の期間内における変動の範囲に基づく安定度を数値として算出する。前記表示手段は、前記安定度算出手段により算出された安定度の数値を表示する。
【００１１】
従って、デジタル無線伝送で伝送される信号について、所定の期間内における所定の評価値の変動の範囲に基づく安定度を数値として表示することにより、デジタル無線伝送における伝送状態の評価結果の情報を効果的に表示することができ、例えば、その伝送回線がどの程度安定したものであるかを知ることができ、現在の余裕度が前記伝送回線の状態において十分なレベルであるかをより正確に把握することが可能となる。
【００１２】
ここで、安定度を算出するための数式としては、種々なものが用いられてもよい。
また、所定の期間内における所定の評価値の変動の範囲や、安定度の数値や、その他の種々な情報は、例えば、２つ以上の任意の情報が同一の画面に表示されてもよく、或いは、異なる画面に表示されてもよい。
また、複数の画面表示がある場合に、例えば、ある画面表示に他の１つ以上の画面表示へのリンク情報を表示して、あるリンク情報がユーザによる操作により指定されることにより、指定されたリンク情報に対応した画面表示へ切り替えられるような構成とすることもできる。
【発明の効果】
【００１３】
以上説明したように、本発明に係る伝送状態表示装置によると、デジタル無線伝送における伝送状態の評価結果の情報を効果的に表示することができ、例えば、アンテナの方向を調整する操作者などに対して、伝送状態を視覚的に把握し易くすることができる。
【発明を実施するための最良の形態】
【００１４】
本発明に係る実施例を図面を参照して説明する。
まず、背景となる技術として、デジタル無線伝送におけるデジタル伝送状態の評価について、状態表示機能による表示例を示す。
図６には、デジタル無線伝送における伝送状態の表示例を示してある。
具体的には、コンスタレーション６０１、遅延プロファイル６０２、マージン６０３、受信電界（ボトムレベル）６０４、受信電界とマージンのレベルメータ表示６０５、ＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）情報６０６、ＢＥＲ６０７を示している。
【００１５】
ここで、レベルメータ表示に関して、マージンがある一定の値に到達した時点で、破綻レベルに対して一定以上の余裕があることを示すために、それまでの三角表示を異なる表示に変更することにより、デジタル無線伝送の運用の可否を判断する者に対して現在の余裕度を段階的により分かりやすく表示する工夫がされている。
その他の表示に関しても、人間の視覚で認識可能な時間以上の適当な時間間隔（例えば１秒）で更新され、当該時間間隔における代表値（平均値、最悪値等）が表示されるものである。
【００１６】
これらの情報により、前記判断者は、その時点での瞬間的な状態値を認識して、現在の伝送状態を検討することができる。この時、数値化された受信電界６０４、マージン６０３、ＢＥＲ６０７、ＴＭＣＣ情報６０６などについては、客観的な数値であるため誰にでも良し悪しを把握することができるが、メータ化されていない遅延プロファイル６０２、コンスタレーション６０１については、熟練した判断者でなければ、すぐに良し悪しを判断することができなかった。
そこで、例えば、本願出願人により、遅延プロファイル評価方法（「ＦＰＵ受信基地局遠隔監視制御装置における遅延プロファイル波形データからメータ表示を行う方式」）や、コンスタレーション評価方法（「ＦＰＵリモコンシステム」）などについて、種々な検討等が為されてきた。
【００１７】
次に、本願の提案内容を以下で説明する。
本実施例では、上記した評価指標を用いてデジタル無線伝送における伝送状態の変動度及び安定度を求め、それを状態判断者に対して分かりやすい形で表示部に表示する技術を提案する。
図１には、本発明の一実施例に係るデジタル無線伝送の安定度を評価するための構成例として、伝送状態表示装置１００の構成例を示してある。
本例の伝送状態表示装置１００は、蓄積部１０１と、解析部１０２と、表示部１０３を備えている。
【００１８】
本例の伝送状態表示装置１００の構成では、任意のデジタル無線伝送状態評価手法（例えば、従来と同様なデジタル無線伝送状態評価手法を使用することができる）を用いてデジタル無線伝送の受信信号が解析されて評価された評価データを、連続的に入力される。そして、蓄積部１０１は前記評価データを一定時間蓄積する機能を有しており、解析部１０２は前記蓄積された評価データを解析する機能を有しており、表示部１０３は前記解析の結果を例えば画面に表示する機能を有している。
【００１９】
前記評価データには、前記デジタル無線伝送状態評価手法における複数種のデータが含まれている。このデータによって、例えば、図６に示されるコンスタレーション６０１における受信シンボル（等価器トレーニング用のシンボルは除く）の座標位置のように、評価値として数値化されていない情報が与えられる場合には、解析部１０２が前記評価データを、任意の評価手法（例えば従来と同様な評価手法を使用することができる）に基づいて、定量的な評価値へ変換する。
なお、他の構成例として、図１に示される構成内に送られるよりも前段において、前記評価データが定量的な評価値へ変換されて送られてきても構わない。
【００２０】
ここで、本例の伝送状態表示装置１００の構成を実現する一態様としては、例えば、コンピュータ端末の記憶・演算・表示装置を用いることが考えられる。
以下の各実施例では、表示部（の画面）１０３上の表示例を基に本願提案の実現例を説明する。
【実施例１】
【００２１】
本発明の第１実施例を説明する。
図２には、本発明の一実施例に係る表示部１０３上におけるコンスタレーションの変動度を含む状態の表示例を示してある。
基準点２０１は、受信シンボルに最も近いコンスタレーション上の信号点であり、基準点２０２は、２番目に近い信号点であり、中点２０３は、これら２つの信号点の中点である。無数の受信シンボルについて共通の基準点２０１、２０２を用いて受信シンボルを点描すると、帯状分布が表れる。即ち、受信シンボルは、互いに独立の同相（Ｉ）成分と直交（Ｑ）成分とからなり、両成分についての基準点２０１から差の２乗和の平方根は、カイ２乗分布に近いものになるので、基準点２０１から距離が少し離れたところで受信シンボルの密度が極大になる。コンスタレーションのどの点を基準点とするかによって分布が異なるので、帯状分布も複数表れる。図２では、基準点２０１から最も遠いところに現れる分布を最大分布帯２０５、各分布を区別せず平均した後の分布を平均分布帯２０４として表している。信号点の各分布の中心や広がりは、受信信号が適切に等化できる状況においては、コンスタレーションの種類によっておおよそ決まる。
【００２２】
本例は、事前に最大分布帯２０５の位置や幅を（コンスタレーションに対応付けて）予め記憶しておき、この分布を扇形に模式的に表示するものである。即ち、直近の一定期間ＴＬ内に算出された前記受信シンボルと基準点２０１との距離（または複素差分）を蓄積部１０１内に保存し、一定期間ＴＬ内に検出された最大距離、最小距離に対応する幅の扇型で、所定の色等に塗りつぶして描画する。最大分布帯２０５のみを表示するのであれば、所定のしきい値以上距離の離れた受信シンボルについて、最大、最小検出をすればよい。図２では、最大分布帯２０５について、最大距離（ｍａｘ）、最小距離（ｍｉｎ）、及びその間の範囲（Ｘ）を、説明のために示してある。扇形の中心は、本来の分布に似せて適当な位置に設定する。
また、現在の基準点２０１からの距離（ｃｕｒｒｅｎｔ）も、同じ点を中心とし他の色で円弧状に表示する。ここで現在の距離とは、例えば表示の更新間隔と同じ時間Ｔｓ（数百ｍｓ）程度で平均化したものであり、一方の一定期間ＴＬは、例えばテレビの生放送中継に用いる場合その中継時間（例えば３分）にあわせて任意に設定できるものである。
前記した距離の範囲Ｘは、一定期間内に伝送信号から算出されたデータシンボルが動いた軌跡であり、元々理想基準点に位置するべきデータシンボルが伝送中の信号劣化及び多信号の干渉によってコンスタレーション座標上で動いた誤差の範囲である。
【００２３】
本例では、この誤差の範囲を、コンスタレーション評価における変動度と定義する。つまり、この変動度が小さいほど、伝送回線状態が安定している（一定の劣化・干渉を受けている）と認識でき、この変動度が大きければ、伝送回線状態が変動し不安定であると判断できる。
【００２４】
ここで、図２の例では、変動度を示しているのは基準点から最も遠い帯状分布２０５のみであるが、同様な方法により、平均分布帯２０４の変動度を算出して表示することが可能である。また、最大距離２０５の変動度、平均距離２０４の変動度の合算によって、総合的な変動度を算出することや表示することも有用であると考えられる。
また、この変動度は、コンスタレーション評価方法により算出される任意の評価値の変動範囲として表すこともできる。
【００２５】
また、最大分布帯の統計量に基づいて、所定時間の伝送が安全か、或いは何分までの伝送が安全に行えるかを検定することもできる。即ち、最大分布帯２０５を正規分布或いはカイ２乗分布として求めた分散を母分散と見なし、所望伝送時間（即ち所望の標本数）内で中点２０３を越える標本が１個以上取り出されるという仮説を所定の危険率で検定し、これに基づき判断者は伝送の合否判断をする。あるいは、単に上記仮説が起こる確率と所望ＢＥＲとの比を求め、その比で以って所望伝送時間を変更するようにしても良い。
【実施例２】
【００２６】
本発明の第２実施例を説明する。
図３には、本発明の一実施例に係る表示部１０３上における遅延プロファイルの変動度を含む状態の表示例を示してある。
具体的には、縦軸に相関レベルをとり横軸に遅延量をとった座標上に、主波の相関３０１、反射波の相関３０２、遅延の基準（遅延無し）線３０３、雑音と主波・反射波とを区別するための最低相関レベル線３０４、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）伝送におけるガードインターバルのリミット線３０５が示されている。
【００２７】
この時、主波のピークが一定期間内に上下に変動した範囲を遅延プロファイル評価での相関変動度（図３中のＸ１）として蓄積部１０１内に保存するとともに、主波のピークが一定期間内に左右に変動した範囲を遅延プロファイル評価での遅延変動度（図３中のＸ２）として蓄積部１０１内に保存し、現在の状況とあわせて表示する。
前記した変動度は、主波が一定時間内に相関や遅延の点において変動した軌跡であり、この変動量によって、第１実施例で示したコンスタレーションと同様に、遅延プロファイルの変動度を判断することができる。
【００２８】
ここで、図３の例では、主波の変動度のみを示しているが、同様な方法により、反射波の変動度を算出して表示することが可能である。また、主波の変動度、反射波の変動度の合算によって、総合的な変動度を算出することや、反射波の変動の範囲が、所望の伝送時間内にリミット線を超える確率を算出することも有用であると考えられる。
【実施例３】
【００２９】
本発明の第３実施例を説明する。
図４には、本発明の一実施例に係る表示部１０３上におけるマージン・受信電界の変動度を含む状態の表示例を示してある。これは、数値レベルによって示される評価値の変動度を含む状態の表示例となる。
具体的には、受信電界レベル４０１、マージンレベル４０２、マージン無しの基準ライン４０３を示している。
【００３０】
この時、マージンが一定期間内に変動した範囲（図４中のＸ３）をマージン評価の変動度として蓄積部１０１内に保存し、現在のマージン値（下向きの三角形のマーカ）とあわせて表示する。
前記した変動度は、所要の信号対雑音比（Ｃ／Ｎ）を基準とする裕度（マージン）が変動した範囲であり、基本的には受信電界レベル４０１の変動と連動している。この変動量によって、第１実施例で示したコンスタレーションや第２実施例で示した遅延プロファイルと同様に、マージンの変動度を判断することができる。
【００３１】
ここで、図４では、マージンの変動度のみを表示しているが、同様な方法により、受信電界やＢＥＲやＭＥＲなどのように数値化された評価値を視覚的にレベルメータ化した表示方法における値の変動度を算出して表示することが可能である。
【実施例４】
【００３２】
本発明の第４実施例を説明する。
本例では、デジタル伝送の総合的な状態判断結果を表示部１０３上に表示する方法の一例を示す。
図５には、本発明の一実施例に係るデジタル伝送の総合的な状態判断結果の表示例として、デジタル伝送での安定度の評価を含めた伝送状態の簡易表示例を示してある。
具体的には、図５に示される表示部１０３の画面では、従来のアナログ伝送に無かったデジタル伝送特有の状態評価指標の中で特に留意すべき、コンスタレーション、遅延プロファイル、マージンについての情報が一覧に表示されている。これらの各評価値について、レベルメータ５０１ａ、５０１ｂ、５０１ｃ及び変動範囲５０２ａ、５０２ｂ、５０２ｃ、安定度５０３ａ、５０３ｂ、５０３ｃ、各指標の詳細画面へのリンクボタン５０４ａ、５０４ｂ、５０４ｃが示されている。
ここで、他の評価値の例として、受信電界や、ＢＥＲや、ＭＥＲなどに関する情報を表示する構成とすることも可能である。
【００３３】
本例では、レベル表示５０１ａ、５０１ｂ、５０１ｃについては、その評価に対して最低限必要なレベルを基準線（図５において、縦の線）としてそれぞれ表示してある。レベルメータ５０１ａは、コンスタレーションに関するもので、受信シンボルとその受信シンボルに２番目に近い信号点との距離を右向きのリニア軸にしたもので、基準線は、実施例１の中点２０３（図２）に相当する。レベルメータ５０１ｂは、実施例２（図３）における最低相関レベル線３０４を超える最遅の反射波がリミット線３０５より進んでいる時間を右向きのリニア軸にしたもので、基準線は、リミット線３０５に相当する。レベルメータ５０１ｃは、実施例３における受信電界のマージンを右向きの対数軸にしたもので、基準線は、マージンなしの基準ライン４０３と同じである。
【００３４】
また、本例では、レベルメータ５０１ａ、５０１ｂ、５０１ｃとあわせて、上述した変動度算出方法において記録した一定時間内における値の変化を分布５０２ａ、５０２ｂ、５０２ｃで表示する。
このような分布の表示方法としては、例えば、図５に示されるように変動したｍａｘとｍｉｎの範囲で各値の分布を色の濃淡や配色に変換して示す方法や、分布数に応じて高さを異ならせたヒストグラムやグラフを用いて示す方法などを用いることができる。また、時間的な経過を縦軸にしてグラフ表示しても有用である。また、単にｍａｘとｍｉｎの範囲のみを表示してもよい。
【００３５】
また、安定度５０３ａ、５０３ｂ、５０３ｃについては、例えば、前記した基準線の値と前記した変動量及びその最大値・最小値を利用して、
安定度＝［１−｛変動度／（（最大値＋最小値）／２−基準線の値）｝］×１００［％］
とする。これにより、破綻レベルからの現在までの統計的な平均余裕値に対して、変動度がどれ程あるかが一目で分かる。
【００３６】
この方法によると、安定判断の基準に応じて、前記した安定度の算出式中の｛（最大値＋最小値）／２｝の部分を最大値或いは最小値或いは平均値、現在値などに変更することで、ユーザのシステム仕様や要件などに対応させることができる。
更に、図５に示されるように、この安定度の値によって、一定の基準で表示色を変化させ、又は警告を表示し、操作者に注意を促すことも有用である。また、前記表示色を変化させる基準に現在の評価値を加味し、現在値と安定度の総合評価から表示色を決定することも可能である。
【００３７】
また、本例では、各状態簡易表示に対し、図２、図３、図４を例とする詳細表示へのリンク５０４ａ、５０４ｂ，５０４ｃが表示されている。具体的には、コンスタレーションのリンク５０４ａが指定されると図２に示される画面表示となり、遅延プロファイルのリンク５０４ｂが指定されると図３に示される画面表示となり、マージンのリンク５０４ｃが指定されると図４に示される画面表示となる。
【００３８】
本例では、例えば、デジタル無線伝送における状態判断に不慣れな判断者に対しては簡易画面を表示し、熟練した判断者に対してはそれぞれの詳細画面を表示することにより、判断者の要求するレベルに応じた状態判断材料を提供することができる。ここで、判断者などのユーザは、例えば、本例の伝送状態表示装置１００の操作部（例えば、キーやマウスやボタンなど）を操作することで、図５に示されるような全体的な簡易な情報の画面表示と図２、図３、図４に示されるような個別の詳細な情報の画面表示を任意に指定して表示させることができる。
【００３９】
［以上に示した実施例のまとめ］
以上のように、本例の伝送状態表示装置１００では、デジタル無線伝送における伝送状態の安定度を評価するために、所定のデジタル無線伝送状態評価手法（例えば、従来と同様なデジタル無線伝送状態評価手法を使用することができる）を用いて前記デジタル無線伝送の受信信号が解析・評価された評価データを連続的に受信可能な状況において、蓄積部１０１により前記評価データを一定時間蓄積し、解析部１０２により前記蓄積された評価データを解析し、表示部１０３により前記解析結果を表示する。
【００４０】
また、本例の伝送状態表示装置１００では、前記蓄積された評価データを解析する解析部１０２は、前記評価データから算出される評価値の一定期間内における変化量によって前記デジタル無線伝送の変動度を算出し、また、現在の評価値が前記デジタル無線伝送において最低限必要な前記評価手法における評価レベルに対して保持する正の差分を現在の余裕値とした時における、前記余裕値と前記変動度から伝送状態の安定度を求める。
【００４１】
また、本例の伝送状態表示装置１００では、前記解析結果の表示部１０３は、現在の評価値に加え、評価値の分布、変動度、及び安定度を表示することが可能であり、また、デジタル無線伝送の運用可否を判断する者の熟練度に応じた段階的な伝送状態表示が可能である。
【００４２】
従って、本例の伝送状態表示装置１００では、デジタル無線伝送における伝送状態の安定度を評価することができ、例えば、従来の無線伝送状態評価手法によって示される伝送破綻レベルへの余裕度が前記デジタル無線伝送の回線状態において十分なレベルであるのかを、伝送状態の判断者に対して、表示部１０３上から、より的確に判断させることができる。また、判断者の熟練度に応じた情報提供を行うことができ、幅広いユーザが利用できるシステムとなる。
【００４３】
このように、本例の伝送状態表示装置１００では、デジタル無線伝送において、評価データの一定時間内の変動量を算出、解析、評価して、前記デジタル無線伝送における伝送状態の安定度を評価し、例えば、伝送状態の安定度を定量的な数値として表示部１０３上に明快に表示して、前記デジタル無線伝送の運用可否の判断を、例えば従来の手法より、更に支援することができる。本例では、例えば、デジタル無線伝送における従来の評価指標に対して、各変動度を数値化することができる。
本例では、直近の所定期間内におけるエラーベクトル（図２）や遅延プロファイル（図３）や受信レベル若しくはそのマージン（図４）などに関する情報を、ヒストグラムで画面に表示することや、その最低値、最高値が分かるように画面に表示することなどが行われる。
【００４４】
なお、本例の伝送状態表示装置１００では、デジタル無線伝送で伝送される信号について所定の期間内における所定の評価値の情報を例えば外部から取得する機能、或いは、蓄積部１０１に蓄積（記憶）された評価データに基づいて、解析部１０２が解析を行うことにより、デジタル無線伝送で伝送される信号について所定の期間内における所定の評価値の情報を取得する機能により、評価値取得手段が構成されており、また、例えば、解析部１０２により、予め設定された数式を用いて所定の評価値について所定の期間内における変動の範囲に基づく安定度を数値として算出する機能により安定度算出手段が構成されており、また、表示部１０３により各種の情報を画面に表示する機能（及び、必要な場合には、解析部１０２により表示対象となる情報を生成する機能）により表示手段が構成されている。
【００４５】
［本願の提案内容を適用することが可能なシステムの一例の説明］
次に、本願の提案内容を適用することが可能なシステム（以下で、本適用可能対象と言う）の一例を示す。一例として、以下に示すようなシステムにおいて、各実施例で示される画面表示を行うことができる。
【００４６】
（本適用可能対象の技術分野）
本適用可能対象は、例えば、デジタル無線伝送の伝送路の確立や調整において伝送状態を表示する伝送状態表示装置に関し、特に、マイクロ受信基地局システムの端末表示において、コンスタレーションの評価値やコンスタレーションの時間的経緯を用いて操作者により受信状態を容易に判断することを可能とする伝送状態表示装置に関する。
【００４７】
（本適用可能対象の背景技術）
テレビジョン放送の放送用素材をテレビ局本社へ伝送する方法として、素材の無線伝送がある。近年、その伝送方式は、テレビジョン放送のデジタル化にあわせてアナログ伝送からデジタル伝送へ移行しつつあるため、デジタル無線伝送における技術向上は重要な課題となっている。
このようなデジタル無線伝送では、一般に、ＦＰＵ（Ｆｉｅｌｄ  Ｐｉｃｋ−ｕｐ  Ｕｎｉｔ）を用いた基地局間の固定無線伝送を含むマイクロ受信基地局システムが利用されている。
【００４８】
このようなマイクロ受信基地局システムとしては、例えば、図７に示されるようなものを用いることができる。なお、図７は後述する実施例で参照されるものであり、ここでは、参考として紹介したが、本適用可能対象を不要に限定する意図は無い。
図７に示されるようなマイクロ受信基地局システムにおける方調支援データの１つであるコンスタレーションの評価は、従来では、人の目視によるものであったため、操作者の経験や主観によって判断が異なってしまい、また、コンスタレーションの時間的経緯を確認するためには、コンスタレーションをデータ量の多い画像又は映像データとして定期的に保存して、確認したい期間分の画像を解析する必要があった。
【００４９】
（参考特許文献）
特開２００７−９７０２９号公報
【００５０】
（本適用可能対象の課題）
上述のように、従来のマイクロ受信基地局システムでは、コンスタレーションの評価は視覚的なもののみであって定量的な指標が無く、伝送状態の客観的な評価値を常時適切に記録することができるものが無かった。
本適用可能対象は、このような従来の事情に鑑み為されたもので、例えば、マイクロ受信基地局システムの端末表示において、コンスタレーションの評価値やコンスタレーションの時間的経緯を用いて操作者により受信状態を容易に判断することを可能とする伝送状態表示装置を提供することを目的とする。
【００５１】
（本適用可能対象の課題を解決するための手段）
上記目的を達成するため、本適用可能対象では、デジタル無線伝送の伝送状態に関する情報を表示する伝送状態表示装置において、次のような構成とした。
すなわち、評価値算出手段が、前記デジタル無線伝送で伝送される信号のコンスタレーションにおけるデータシンボルの点と理想的なコンスタレーションにおけるデータシンボルの基準点との間の距離ｄ（後述する実施例を参照）に基づいて、所定の評価値を算出する。表示手段が、前記評価値算出手段により算出された評価値を前記デジタル無線伝送の伝送状態に関する情報として表示する。
【００５２】
従って、例えば、マイクロ受信基地局システムの端末表示において、コンスタレーションの評価値や、コンスタレーションの時間的経緯を用いて、操作者により受信状態を容易に判断することを可能とすることができる。
【００５３】
ここで、デジタル無線伝送で伝送される信号のコンスタレーションにおけるデータシンボルの点は、実際に伝送された信号のデータシンボルの点（位置）を表しており、また、理想的なコンスタレーションにおけるデータシンボルの基準点は、伝送時などの誤り等が無いとした理想的な場合におけるデータシンボルの点（位置）を表している。
また、評価値を算出するために、例えば、理想的なコンスタレーションにおける最小の基準点間距離Ｌ（後述する実施例を参照）を用いることもできる。
【００５４】
また、評価値としては、種々なものが用いられてもよく、好ましい態様例として、余裕値Ｄや平均誤差Ｅ（後述する実施例を参照）を用いることができる。
また、評価値を画面に表示する手法としては、種々なものを用いることができ、例えば、数値で表示する手法や、グラフ化して表示する手法や、時間的な経緯を表示する手法などを用いることができる。
【００５５】
（本適用可能対象の効果）
以上説明したように、本適用可能対象に係る伝送状態表示装置では、例えば、マイクロ受信基地局システムの端末表示において、コンスタレーションの評価値や、コンスタレーションの時間的経緯を用いて、操作者により受信状態を容易に判断することを可能とすることができる。
【００５６】
（本適用可能対象の実施例）
本適用可能対象に係る実施例を図面を参照して説明する。
図７には、本適用可能対象の一実施例に係るマイクロ受信基地局システムの構成例を示してある。
本例のマイクロ受信基地局システムの系統では、送信点１（送信点Ａ）と、基地局２と、本社３と、送信点４（送信点Ｂ）が存在する。
送信点１には、送信部１１と、アンテナ１２を備えている。
基地局２には、回転受信アンテナ２１と、受信部２２と、送信部２３と、固定アンテナ２４と、被制御端局２５と、変復調部２６を備えている。
本社３には、固定アンテナ３１と、受信部３２と、回転受信アンテナ３３と、受信部３４と、復号部３５と、情報生成部３６と、情報編集部３７と、変復調部３８と、制御端局３９と、操作端末４０と、ネットワーク６１と、ネットワーク６２を備えている。
送信点２には、送信部５１と、アンテナ５２を備えている。
また、本例では、基地局２の変復調部２６と本社３の変復調部３８とを通信可能に接続するネットワーク７１を備えている。
【００５７】
本例のマイクロ受信基地局システムにおいて行われる動作の一例を示す。
本例では、送信点１及び送信点４から本社３へ素材を伝送する場合を示す。
本社３から遠距離にある送信点１（送信点Ａ）からの素材は、基地局２を通して、本社３へ無線伝送される。まず、送信点１にある送信部１１は、素材を無線伝送可能なマイクロ波信号へ変換して、アンテナ１２からその電波を送信する。
ここで、送信部１１は、ＳＤＩ（Ｓｅｒｉａｌ  Ｄｉｇｉｔａｌ  Ｉｎｔｅｒｆａｃｅ）信号をＦＰＵでの伝送に用いられる固定長のパケット形式のフレームフォーマットであるＴＳ（Ｔｒａｎｓｐｏｒｔ  Ｓｔｒｅａｍ）信号に符号化し、それを中間周波信号へ変調した後に、マイクロ波帯へ周波数変換してアンテナ１２へ伝送する機能を有する。
【００５８】
送信点１から送信された電波は、基地局２内の回転受信アンテナ２１の装置により受信されて、受信部２２へ送られる。
ここで、受信部２２は、マイクロ波帯の信号を中間周波信号へ周波数変換して、前記ＴＳ信号へ復調し、ＳＤＩ信号へ復号する機能を有する。但し、基地局２内の受信部２２においては、最小限、信号劣化の無い前記ＴＳ信号へ変換するまでの機能があればよい。
【００５９】
このＴＳ信号は、受信部２２から送信部２３へ送られて、固定アンテナ２４から電波で送信される。
ここで、前記した受信部２２と同様に、基地局２内の送信部２３は、最小限、ＴＳ信号をマイクロ波帯の信号へ変換する機能があればよい。
基地局２から送信された電波は、本社３の固定アンテナ３１により受信され、受信部３２及び復号部３５によってＳＤＩ信号へ復号されて、本線へ送られる。
【００６０】
また、本社３から近距離にある送信点４（送信点Ｂ）からの素材は、送信部５１を通ってアンテナ５２から送信され、直接、本社３の回転受信アンテナ３３の装置により受信され、そして、受信部３４及び復号部３５によって復号されて、本線へ送られる。
【００６１】
このようなシステムを用いた無線伝送では、基地局２において送信点１からの電波を如何に効率よく受信することができるかが重要となってくる。つまり、送信点１の位置によって、基地局２内の受信アンテナ２１は方向を変えられねばならない。このため、マイクロ受信基地局システムでは、受信アンテナ２１として、本社３からの遠隔制御により回転することが可能な回転架台を有するもの（回転受信アンテナ）が用いられている。
また、同様に、本社３においても、送信点４に対して、回転受信アンテナ３３が用いられている。
【００６２】
回転受信アンテナ２１の制御監視方法について説明する。
本社３内で、操作端末４０よりネットワークへ送信された制御パケットは、制御端局３９により受信されて、シリアル信号へ変換される。このシリアル信号は、更に、変復調部３８において、例えばアナログ信号へ変調されて、基地局２へ向けて送信される。
なお、ネットワーク６１に複数の操作端末や複数の制御端局をつなげて、それぞれの機器の識別情報（ＩＤ）によって送信相手や受信相手を特定して送受信を行うことも可能である。
【００６３】
変復調部３８から送信されたアナログ信号は、基地局２内の変復調部２６により受信されて、シリアル信号へ復調された後に、被制御端局２５へ送信される。
被制御端局２５は、変復調部２６から受信した信号（制御信号）を解読して、その解読結果に基づいて、回転受信アンテナ２１の装置に対して制御を行う。
【００６４】
また、回転受信アンテナ２１の装置における角度などの情報（監視情報）は、監視信号として、被制御端局２５へ送られる。
被制御端局２５は、その監視情報をシリアル信号として変復調部２６へ送信する。
変復調部２６は、被制御端局２５から受信したシリアル信号を例えばアナログ信号へ変調して、本社３に向けて送信する。
【００６５】
本社３内の変復調部３８は、基地局２の変復調部２６から受信したアナログ信号をシリアル信号へ復調して、制御端局３９へ送信する。
制御端局３９は、変復調部３８から受信したシリアル信号を解読して、その解読結果に基づいて、監視パケットをネットワーク６１へ送信する。
操作端末４０は、ネットワーク６１を介してその監視パケットを受信して、端末上に情報として表示する。
【００６６】
以上のようにして、基地局２内の回転受信アンテナ２１の装置の制御監視が可能である。
また、本例のマイクロ受信基地局システムでは、前記した回転受信アンテナ２１の装置に対する制御監視と同様に、基地局２に設置された受信部２２や送信部２３における受信レベルや送信レベル、送受信チャンネル（周波数帯）、変調方式、送信出力、復号方式、また例えば、信号切替器の接点選択、信号多重・分離装置における信号入力・出力選択などについても、操作端末４０と制御端局３９と被制御端局２５と制御装置における一連の信号伝達によって制御監視することが可能である。
【００６７】
また、送信点４からの素材伝送のように、本社３へ直接的に送信する場合には、操作端末４０と制御端局３９と制御装置という信号伝達経路を用いて、本社３に存在する回転受信アンテナ３３の装置や受信部３４などの装置に対して制御監視することが可能である。
【００６８】
ここで、重要となってくるのが、受信アンテナ方向調整の材料となる方調支援データの情報である。
基地局２を通る伝送の場合には、この情報は、基地局２内の受信部２２から被制御端局２５、本社３の制御端局３９を通して操作端末４０へ送られる監視情報にあるか、又は、基地局２において受信部２２が回転受信アンテナ２１の装置から受信信号を受けてＴＳ信号へ変換して送信する際に当該ＴＳ信号に多重する方調支援データの中にある。
【００６９】
方調支援データは、それが多重されたＴＳ信号が送信部２３を通って固定アンテナ２４、３１の固定回線を通って本社３の受信部３２において再びＴＳ信号へ戻されて送信された後に、情報生成部３６において当該送信されてきた当該ＴＳ信号から分離される。この分離された方調支援データは、情報編集部３７において操作者にとって分かりやすい形に編集されて、ネットワーク６２を通して操作端末４０へ送信され、そして、端末画面上に表示される。
【００７０】
また、本社３へ直接伝送される場合における方調支援データについては、信号を受信する受信部３４から制御端局３９を通して操作端末４０へ送られる監視情報により端末画面上に表示されるか、又は、受信部３４によりＴＳ信号に多重された方調支援データを情報生成部３６により分離して、情報編集部３７により編集した後に、操作端末４０へ送信することによって、端末画面上に表示される。
【００７１】
以上のようにして、本社３にいる操作者は、操作端末４０を用いて、受信部２２、３４における受信状態の情報を見ながら、回転受信アンテナ２１、３３の装置や受信部２２、３４を制御して、送信点１、４に対するアンテナ方向や受信設定を調整する。
【００７２】
このように、各装置を制御する操作者は、端末画面上に表示される情報から現在の受信状態を判断する必要があるため、その材料となる方調支援データはマイクロ受信基地局システムにとって必要不可欠な情報である。
また、これまでのアナログ無線伝送と違って、デジタル伝送状態については、受信電界レベル以外にも複数の状態パラメータが存在する。現在の方調支援データに含まれる情報としては、例えば、受信部２２、３４における受信周波数や変調方式などの伝送パラメータを含んだＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）情報、受信レベル、余裕度（Ｍａｒｇｉｎ  Ｄｅｇｒｅｅ）、ＢＥＲ（Ｂｉｔ  Ｅｒｒｏｒ  Ｒａｔｅ）、遅延プロファイル、コンスタレーションなどがあるが、伝送状態の評価を行うための情報としては１つの指標のみでは不十分であるため、通常は複数の指標を用いて総合的に評価することが多い。
【００７３】
次に、本例のマイクロ受信基地局システムにおいて行われるコンスタレーションの評価について詳しく説明する。
本例では、情報編集部３７により、コンスタレーションの評価が行われる。
ここで、情報生成部３６により、単位時間当たりに解析された被調査信号のコンスタレーションで示されるデータシンボル群が生成されて、情報編集部３７へ送られたとする。
【００７４】
図８には、このような場合に情報編集部３７により行われるコンスタレーション評価の手法の一例を示してある。具体的には、コンスタレーション上の理想基準点１２０１、１２０２、中間点１２０３、データシンボル１２０４を示してある。
一般に、デジタル無線伝送におけるコンスタレーションはＩ−Ｑ座標上に展開される。ここで、Ｉはデジタル無線伝送における信号の同相成分を表し、Ｑは当該信号の直交成分を表す。
【００７５】
図８において、基準点１２０１及び基準点１２０２は前記信号の変調方式によって算出された理想コンスタレーションで示される理想基準点の抜粋であり、基準点１２０２は基準点１２０１から最も近い距離Ｌに存在する理想基準点の１つである。また、点１２０３は、基準点１２０１と基準点１２０２の中間点であり、点１２０３と基準点（基準点１２０１又は基準点１２０２）との距離は（Ｌ／２）となる。また、データシンボル１２０４は、情報生成部３６により提供されたデータシンボル群の１つである。
本例では、情報生成部３６により提供された全てのデータシンボル１２０４に対して、最も近い理想基準点１２０１、１２０２との距離ｄを計算して、その中の最大値を最大誤差Ｍｄとする。そして、（Ｌ／２）と最大誤差Ｍｄとの差を算出して、これをコンスタレーションの余裕値Ｄとして第１の評価値とする。
【００７６】
デジタル伝送において、十分な受信電界があり、且つＢＥＲが十分に低く、且つマージンがとれている安定状態である場合には、前記伝送の伝送状態を示すコンスタレーションは理想コンスタレーションとほぼ同様なシンボル配置を示す。このとき、データシンボル１２０４は、理想コンスタレーションの理想基準点１２０１、１２０２に集中するように位置するため、各データシンボル１２０４に対して計算されるｄは小さくなり、最大誤差Ｍｄも小さい値となる。
【００７７】
逆に、状態が悪くなり、受信電界が低くなるか、若しくはＢＥＲが高くなるか、若しくはマージンが無くなっていくと、コンスタレーションのシンボル配置は理想基準点１２０１、１２０２に密集しなくなり、伝送状態の悪化が各ｄの値の増加として表れるため、最大誤差Ｍｄも増加する。このとき、理想基準点１２０１、１２０２からの距離ｄは、他の理想基準点に位置するべきデータシンボルとの距離の余裕度に関係しており、伝送状態が過剰に悪くなると、別々の理想基準点に位置するべきデータシンボル同士が干渉を起こして、信号の誤りが発生してしまう。
【００７８】
このように、最大誤差Ｍｄは、他のデータシンボルとあとどれくらいで干渉を起こすかという危険度を示しているため、伝送状態の良し悪しを判断する尺度として有用であることが分かる。
また、距離Ｌは信号の変調方式による、単位時間に伝送可能な情報量の多さに関係する。この情報量が増加すると、コンスタレーション上では、理想基準点の数が増加して、各基準点同士の間隔が狭まり、このため、データシンボル同士の位置干渉が起こりやすくなる。
上記で定義した余裕値Ｄは、コンスタレーションにおけるデータシンボル同士の位置干渉に対して絶対的な余裕値を示しているため、変調方式（伝送レート）に因らない伝送状態の評価を行うことが可能である。
【００７９】
次に、第２の評価値として、各シンボルに対して計算されたｄの平均を平均誤差Ｅとして算出する。
平均誤差Ｅは、データシンボル１２０４と理想基準点１２０１、１２０２との座標の差を偏差としたときの平均絶対偏差となるため、この値によりデータシンボル群の散らばり具合を読み取ることができる。
なお、この値は、公知の状態評価値ＭＥＲ（Ｍｏｄｕｌａｔｉｏｎ  Ｅｒｒｏｒ  Ｒａｔｉｏ）で代用することも可能であるが、ＭＥＲの算出方法は、データシンボル１２０４の距離ベクトルの絶対値を電力換算したものと、理想基準点１２０１、１２０２の電力とを比にしたものを求めるものであり、本コンスタレーション上の評価では、余裕値Ｄと対比がとれないため、算出したｄを利用した評価値として、前記した平均誤差Ｅを用いている。
【００８０】
ここで、余裕値Ｄに係る最大誤差Ｍｄの算出方法としては、例えば、全シンボルに対して計算されたｄの上位数％（例えば、上位の定数個分）を平均化することや、或いは、当該上位数％（例えば、上位の定数個分）の中で最も小さいｄを採用することもでき、その設定基準に応じて如何様にも設定することが可能である。
また、余裕値Ｄについても、例えば、｛（Ｌ／２）−Ｍｄ｝から一定数を加減することや、或いは、｛（Ｌ／２）−Ｍｄ｝に対して一定割合を乗除することを行って、評価値として用いることも可能である。
【００８１】
また、平均誤差Ｅの算出方法としては、例えば、ｄの標準偏差などのように散らばり具合を示す数値や、或いは、全体で上位数％（例えば、上位の定数番目）のｄなどのように全体から一定の基準で抽出された値を利用することも可能である。
更に、分散を利用した二乗単位での評価として、最大誤差Ｍｄを二乗して、二乗の次元で両者を比較評価する方法を利用することも可能である。
【００８２】
図９及び図６を参照して、本例のマイクロ受信基地局システムの端末表示について説明する。
図９には、本例のマイクロ受信基地局システムの操作端末４０における方向調整操作画面（方調画面）の表示の一例を示してある。
本例の方向調整操作画面では、各監視情報の表示領域として、受信部２２、３４の受信電界を視覚的に表すメータ（ＢＬメータ表示部）１３０１と、受信電界の値としてＢＬ値を表す部分（ＢＬ値表示部）１３０２と、回転受信アンテナ２１、３３の装置の角度を表す部分（回転受信アンテナ装置角度表示部）１３０３と、前記回転受信アンテナ２１、３３の装置の状態を表す監視部分（回転受信アンテナ装置監視表示部）１３０４と、受信部２２、３４の設定と状態を表す監視部分（受信部監視表示部）１３０５と、前記回転受信アンテナ２１、３３の装置を制御するための制御部分（回転受信アンテナ装置制御表示部）１３０６と、アンテナの位置と方向を示す地図画面の部分（地図表示部）１３０７と、当該地図の縮尺変更や当該地図の高度情報の表示を行わせるためのボタン（地図表示ボタン）１３０８が設けられている。
【００８３】
更に、本例の方向調整操作画面では、方調支援データを表示させるためのボタン（方調支援データ表示ボタン）１３０９が設けられている。操作者がマウスなどを操作して、方調支援データ表示ボタン１３０９を押下することにより、方調支援データ表示ウインドウを表示させることができる。
【００８４】
図６には、本例のマイクロ受信基地局システムの操作端末４０において方調支援データを表示する画面である方調支援データ表示ウインドウの表示の一例を示してある。
本例の方調支援データ表示ウインドウでは、ＢＥＲの状態を表す部分（ＢＥＲ表示部）６０７と、余裕度（マージン）を表す部分（マージン表示部）６０３と、ＢＬ値を表す部分（ＢＬ値表示部）６０４と、ＢＬのメータ（ＢＬメータ表示部）６０５と、ＴＭＣＣ情報を表す部分（ＴＭＣＣ情報表示部）６０６と、遅延プロファイル情報を表す部分（遅延プロファイル情報表示部）６０２と、コンスタレーションを表す部分（コンスタレーション表示部）６０１が設けられている。
【００８５】
本例では、図６に示されるコンスタレーション表示に対して、更に上記した評価値（第１の評価値Ｄ及び第２の評価値Ｅ）に関する情報を加えて表示する図１０に示されるような表示を行う。
図１０には、本例のマイクロ受信基地局システムの操作端末４０における本例の評価値に関する情報を含むコンスタレーション情報の表示の一例を示してある。
本例のコンスタレーション情報の表示画面では、画面の上部に、信号の変調方式と当該変調方式により算出される誤差限界（例えば、前記した（Ｌ／２））を表示する部分（変調方式・誤差限界表示部）１５０１と、各評価値（余裕値Ｄ、平均誤差Ｅ、最大誤差Ｍｄ）を表示する部分（コンスタレーション評価値表示部）１５０２が設けられている。
【００８６】
また、本例のコンスタレーション情報の表示画面では、余裕値Ｄ、平均誤差Ｅ、最大誤差Ｍｄをグラフ表示する部分が設けられている。
具体的には、基準点１５０３、１５０４は、コンスタレーションの理想基準点を表している。中間点１５０５は、両基準点１５０３、１５０４の中間を表している。これにより、誤差限界を基準点１５０３、１５０４と中間点１５０５との距離で表すことができる。
また、基準点１５０３と基準点１５０４を結ぶ直線上に、平均誤差（平均誤差Ｅ）１５０６、最大誤差（最大誤差Ｍｄ）１５０７、余裕値（余裕値Ｄ）１５０８を表示することで、現状態を視覚的に読み取れるようにしてある。
【００８７】
このとき、例えば、画面上の両基準点１５０３、１５０４の間の距離を誤差限界の変化に応じて変化させると、伝送方式によって確定する基準点間の余裕度（限界誤差）についても視覚的に理解することができると考えられる。
また、値の変化によって各値や線の表示色を変化させることで、操作者に対して注意を促すことも有用である。また、評価値が一定の閾値を越えた時点（又は、一定の閾値未満となった時点など）で操作端末４０の画面上に警告メッセージを表示させて警告音と共に知らせることで、より効果的な情報提供を行うことができる。
【００８８】
ここで、図１０に示されるような情報の表示に関しては、情報編集部３７において図１０に示されるような画面を作成して、例えばＷＥＢエンコーダなどを通して操作端末４０へ提供する方法を用いることができる。或いは、操作端末４０において、情報編集部３７から提供されたデータを元にして画面を作成して表示する方法を用いることもできる。
【００８９】
本例の表示により、コンスタレーションは、定量的な値として評価することができるようになる。これにより、これまで画像（或いは、映像）として保存していたデータを値として保存することができるようになり、情報格納資源の必要量に関して大幅な削減を実現することができる。また、コンスタレーションの経緯を値の変化として記録することができるため、評価値の統計処理やグラフ化などにより、過去のデータ解析についても大きな向上を図ることができる。
【００９０】
一例として、図１０に示される本例のコンスタレーション情報の表示画面では、グラフ表示を行わせるためのボタン（グラフ表示ボタン）１５０９が設けられている。そして、操作者がマウスなどを操作して、グラフ表示ボタン１５０９を押下することに応じて、その下部に、評価値の数値履歴１５１０をグラフ化して表示する。この場合に、例えば、複数の評価値を一度に表示させて、視覚的に比較を可能とすることも有効である。
また、例えば、平均誤差１５０６、最大誤差１５０７、余裕値１５０８の表示部分において、過去の一定期間中に動いた範囲を重ねたもの（例えば、図中のｍａｘ、ｍｉｎの範囲部分）を表示することで、評価値の範囲の広さやピーク値によって状態の安定・不安定を把握させて、状態を判断させることも可能である。
【００９１】
以上のように、本例のマイクロ受信基地局システムでは、デジタル無線伝送の伝送路を確立や調整するための表示画面において、当該デジタル無線伝送の状態表示として、当該デジタル無線伝送における信号のコンスタレーションから算出される評価値を含む伝送状態を表示する。
具体的には、前記した評価値としては、例えば、受信した信号のコンスタレーションに関して、コンスタレーションの各データシンボルと伝送の変調方式により算出される理想コンスタレーションで示される理想基準点との距離や、前記理想コンスタレーションにおける最小基準点間距離を利用して算出される値を用いる。そして、操作端末４０上に、その評価値と経緯を含んだ情報を表示させる。
また、本例では、前記した評価値は、客観的且つ定量的な値を用いて表すことができ、コンスタレーションの時間的経緯を少ないデータ量で評価値の変化として保存や表現することが可能である。
【００９２】
従って、本例では、デジタル無線伝送におけるコンスタレーションを、常時、客観的且つ定量的に評価することができ、コンスタレーションの時間的経緯を少ないデータ量でその評価値の変化として保存や表現することができ、これにより、マイクロ受信基地局システムの端末表示において、新たな評価指標を与えて、操作者による伝送状態の判断（判定）を従来よりもよりサポート（支援）することができる。このように、本例では、コンスタレーションから伝送状態を評価して表示することで、操作者などにとって、コンスタレーションの評価値やコンスタレーションの時間的経緯などの情報をグラフなどにより参照して、受信状態をより判断しやすい状況を実現することができる。
【００９３】
なお、本例のマイクロ受信基地局システムでは、本社３において、情報生成部３６や情報編集部３７や操作端末４０の機能により伝送状態表示装置が構成されており、このような伝送状態表示装置において、所定の評価値（本例では、余裕値Ｄや平均誤差Ｅ）を算出する評価値算出手段の機能を情報編集部３７（或いは、他の処理部や、複数の処理部にわたってもよい）に備えており、算出された評価値を画面に表示する表示手段の機能を操作端末４０に備えている。
［以上、本適用可能対象についての説明］
【図面の簡単な説明】
【００９４】
【図１】本発明の一実施例に係るデジタル無線伝送の安定度を評価するための構成例（伝送状態表示装置の構成例）を示す図である。
【図２】本発明の第１実施例に係るコンスタレーションの変動度の表示例を示す図である。
【図３】本発明の第２実施例に係る遅延プロファイルの変動度の表示例を示す図である。
【図４】本発明の第３実施例に係るマージン・受信電界の変動度の表示例を示す図である。
【図５】本発明の第４実施例に係るデジタル伝送の総合的な状態判断結果の表示例を示す図である。
【図６】デジタル伝送状態評価についての表示例を示す図である。
【図７】本発明の適用可能対象の一実施例に係るマイクロ受信基地局システムの構成例を示す図である。
【図８】コンスタレーション評価の手法の一例を示す図である。
【図９】マイクロ受信基地局システムの操作端末における方向調整操作画面の表示の一例を示す図である。
【図１０】評価値に関する情報を含むコンスタレーション情報の表示の一例を示す図である。
【符号の説明】
【００９５】
１００・・伝送状態表示装置、  １０１・・蓄積部、  １０２・・解析部、  １０３・・表示部、  ２０１、２０２・・理想基準点、  ２０３・・２つの理想基準点の中点、  ２０４・・平均距離、  ２０５・・最大距離、  ３０１・・主波の相関、  ３０２・・反射波の相関、  ３０３・・遅延の基準（遅延無し）線、  ３０４・・最低相関レベル線、  ３０５・・ガードインターバルのリミット線、  ４０１・・受信電界レベル、  ４０２・・マージンレベル、  ４０３・・マージン無しの基準ライン、  ５０１ａ、５０１ｂ、５０１ｃ・・レベルメータ、  ５０２ａ、５０２ｂ、５０２ｃ・・変動範囲、  ５０３ａ、５０３ｂ、５０３ｃ・・安定度、  ５０４ａ、５０４ｂ、５０４ｃ・・リンクボタン、  ６０１・・コンスタレーション（コンスタレーション表示部）、  ６０２・・遅延プロファイル（遅延プロファイル情報表示部）、  ６０３・・マージン（マージン表示部）、  ６０４・・受信電界（ＢＬ値表示部）、  ６０５・・受信電界とマージンのレベルメータ表示（ＢＬメータ表示部）、  ６０６・・ＴＭＣＣ情報（ＴＭＣＣ情報表示部）、  ６０７・・ＢＥＲ（ＢＥＲ表示部）、
１、４・・送信点、  ２・・基地局、  ３・・本社、  １１、２３、５１・・送信部、  １２、５２・・アンテナ、  ２１、３３・・回転受信アンテナ、  ２２、３２、３４・・受信部、  ２４、３１・・固定アンテナ、  ２５・・被制御端局、  ２６、３８・・変復調部、  ３５・・復号部、  ３６・・情報生成部、  ３７・・情報編集部、  ３９・・制御端局、  ４０・・操作端末、  ６１、６２、７１・・ネットワーク、
１２０１、１２０２・・理想基準点、  １２０３・・中間点、  １２０４・・データシンボル、
１３０１・・ＢＬメータ表示部、  １３０２・・ＢＬ値表示部、  １３０３・・回転受信アンテナ装置角度表示部、  １３０４・・回転受信アンテナ装置監視表示部、  １３０５・・受信部監視表示部、  １３０６・・回転受信アンテナ装置制御表示部、  １３０７・・地図表示部、  １３０８・・地図表示ボタン、  １３０９・・方調支援データ表示ボタン、
１５０１・・変調方式・誤差限界表示部、  １５０２・・コンスタレーション評価値表示部、  １５０３、１５０４・・理想基準点、  １５０５・・中間点、  １５０６・・平均誤差、  １５０７・・最大誤差、  １５０８・・余裕値、  １５０９・・グラフ表示ボタン、  １５１０・・評価値の数値履歴、
【図１】
2010016638.tif 000003
【図２】
2010016638.tif 000004
【図３】
2010016638.tif 000005
【図４】
2010016638.tif 000006
【図５】
2010016638.tif 000007
【図６】
2010016638.tif 000008
【図７】
2010016638.tif 000009
【図８】
2010016638.tif 000010
【図９】
2010016638.tif 000011
【図１０】
2010016638.tif 000012